【手続補正書】
【提出日】平成29年3月27日(2017.3.27)
【手続補正１】
【補正対象書類名】特許請求の範囲
【補正対象項目名】全文
【補正方法】変更
【補正の内容】
【特許請求の範囲】
【請求項１】
流れ案内面部(５０)を含み、少なくとも１つの第１フィン(５０ａ)が前記流れ案内面部(５０)から突出し、
前記第１フィン(５０ａ)の第１端部(２０１，５０１)は前記流れ案内面部(５０)に固定されており、前記第１フィン(５０ａ)の第２端部(５０２)は自由端として構成されており、
複数のフィン(２０ａ，２０ｂ，２０ｃ，２０ｄ，５０ａ，２１ａ，２１ｂ，２１ｃ，２１ｄ，５１ａ)を備え、プロペラ下方ビート側部(１５)よりもプロペラ上方ビート側部(１４)にもっと多くフィン(２０ａ，２０ｂ，２０ｃ，２０ｄ，５０ａ，２１ａ，２１ｂ，２１ｃ，２１ｄ，５１ａ)を備え、又は前記フィン(２０ａ，２０ｂ，２０ｃ，２０ｄ，５０ａ，２１ａ，２１ｂ，２１ｃ，２１ｄ，５１ａ)は非対称フィン系を構成するように配置されることを特徴とする船舶の所要駆動力を減らすための装置。
【請求項２】
前記流れ案内面部(５０)はプロペラ(３３)の上流に配置されており、前記流れ案内面部(５０)は前記プロペラ(３３)から距離を置かれており、前記流れ案内面部(５０)は軸受け(３１)、特に前記船舶のプロペラ(３３)のプロペラシャフトを取り付けるために配置される船尾管から距離を置かれていることを特徴とする請求項１に記載の装置。
【請求項３】
プロペラ軸線(３２)と前記第１フィン(５０ａ)の前記第１端部(５０１)との間の距離は、前記プロペラ軸線(３２)と前記第１フィン(５０ａ)の前記第２端部(５０２)との間の距離よりも短いことを特徴とする請求項１又は２に記載の装置。
【請求項４】
前記第１フィン(５０ａ)は最大形状厚さ(５１)をもち、前記第１フィン(５０ａ)の前記最大形状厚さ(５１)は、前記第１フィン(５０ａの)の前記第１端部(５０１)と前記第２端部(５０２)との間の距離の５０％未満、好ましくは２５％未満、特に好ましくは１５％未満である請求項１〜３の何れか１項に記載の装置。
【請求項５】
前記流れ案内面部(５０)はプロペラ(３３)から離れるように方向付けられている前側形状入口エッジ(５２)をもち、前記流れ案内面部(５０)は前記プロペラ(３３)に向かうように方向付けられている前側形状出口エッジ(５３)をもち、前記前側形状入口エッジ(５２)の領域内のプロペラ軸線(３２)と前記流れ案内面部(５０)との間の距離は前記前側形状出口エッジ(５３)の領域内の前記プロペラ軸線(３２)と前記流れ案内面部(５０)との間の距離より小さい、あるいは大きいことを特徴とする請求項１〜４の何れか１項に記載の装置。
【請求項６】
前記流れ案内面部(５０)とプロペラ軸線(３２)との間の最短距離(５４)はプロペラ直径(５５)の半分未満であることを特徴とする請求項１〜５の何れか１項に記載の装置。
【請求項７】
少なくとも１つの第２フィン(５１ａ)は前記流れ案内面部(５０)から突出し、前記第２フィン(５１ａ)の第１端部(５０３)は前記流れ案内面部(５０)に配置されており、前記第２フィン(５１ａ)は船体上及び／又は軸受け(３１)上、特に前記船舶のプロペラ(３３)のプロペラシャフトを取り付けるために配置される船尾管上に、第２端部(５０４)で固定されていることを特徴とする請求項１〜６の何れか１項に記載の装置。
【請求項８】
前記第１フィン(５０ａ)及び／又は前記第２フィン(５１ａ)は、前記船舶のプロペラ(３３)のプロペラ軸線(３２)から放射状に配置されていることを特徴とする請求項１〜７の何れか１項に記載の装置。
【請求項９】
前記第１フィン(５０ａ)は前記第２フィン(５１ａ)の延長に配置されており、両方が一緒になって完全なフィンを形成する請求項７又は８に記載の装置。
【請求項１０】
前記完全なフィンの長さは前記船舶のプロペラ(３３)の半径よりも大きいあるいは小さく、好ましくは前記完全なフィンの長さはプロペラ(３３)の半径の最大９０％であり、特に好ましくは前記完全なフィンの長さはプロペラの(３３)の半径の最大７５％であることを特徴とする請求項９に記載の装置。
【請求項１１】
前記第１フィン(５０ａ)及び／又は前記第２フィン(５１ａ)はプロペラ軸線(３２)に対して迎え角で配置され、特に前記第１フィン(５０ａ)及び前記第２フィン(５１ａ)は異なる迎え角を有する請求項１〜１０の何れか１項に記載の装置。
【請求項１２】
前記第１フィン(５０ａ)は前記第１フィン(５０ａ)から突出しているフィン端部小片(２３)を備える自由端(５０２)を有する請求項１〜１１の何れか１項に記載の装置。
【請求項１３】
前記フィン端部小片(２３)は、ある範囲又はある角度で前記第１フィン(５０ａ)の自由端から突出する請求項１２に記載の装置。
【請求項１４】
前記フィン端部小片(２３)は前記第１フィン(５０ａ)から前記第１フィン(５０ａ)の片側又は両側に突出するだけであり、片側構成の場合、好ましくは前記フィン端部(２３)は少なくとも１つの前記第１フィン(５０ａ)の吸込み側(２０３)に向かって突出する請求項１２又は１３に記載の装置。
【請求項１５】
前記第１フィン(５０ａ)は前記第２フィン(５１ａ)より長い長さであり、好ましくは前記第１フィン(５０ａ)の長さは前記第２フィン(５１ａ)の長さの少なくとも１．５倍であり、特に好ましくは前記第１フィン(５０ａ)の長さは前記第２フィン(５１ａ)の長さの少なくとも２倍である請求項７〜１４の何れか１項に記載の装置。
【請求項１６】
前記流れ案内面部(５０)の最大形状厚さは、前記流れ案内面部(５０)の長さの１０％未満、好ましくは７．５％未満、特に好ましくは６％未満である請求項１〜１５の何れか１項に記載の装置。
【請求項１７】
前記流れ案内面部(５０)とプロペラ軸線(３２)との間に少なくとも１つの安定化支柱(２２)が前記流れ案内面部(５０)を安定化するために提供され、前記安定化支柱(２２)は前記流れ案内面部(５０)に一方の端部が固定され、軸受け(３１)、特に前記船舶のプロペラ(３３)のプロペラシャフトを取り付けるために構成される船尾管に他方の端部が固定され、前記安定化支柱(２２)はフィン形状を有するように又は有さないように構成される請求項１〜１６の何れか１項に記載の装置。
【請求項１８】
前記第１フィン(５０ａ)及び／又は前記第２フィン(５１ａ)は湾曲面をもつように構成されている請求項１〜１７の何れか１項に記載の装置。
【請求項１９】
前記完全なフィンは全体的に湾曲面をもつように構成される請求項９の後半を引用する請求項１８に記載の装置。
【請求項２０】
前記流れ案内面部(５０)は周方向で開放又は閉鎖されるように構成される請求項１〜１９の何れか１項に記載の装置。
【請求項２１】
前記流れ案内面部(５０)は真っ直ぐであり、特に真っ直ぐな板である請求項１〜２０の何れか１項に記載の装置。
【請求項２２】
前記流れ案内面部(５０)は弓形に構成され、特にプロペラ軸線(３２)に対して凸状である請求項１〜２１の何れか１項に記載の装置。
【請求項２３】
前記流れ案内面部(５０)は弓形で且つ周方向で開放されるように構成されており、断面において、前記流れ案内面部(５０)の弧の長さは、概念的に周方向で閉鎖された前記流れ案内面部(５０)の円周の８０％未満、好ましくは６０％未満、特に好ましくは４０％未満、かなり好ましくは３０％未満である請求項１〜２２の何れか１項に記載の装置。
【請求項２４】
前記流れ案内面部(５０)はノズル、特に好ましくは前方ノズル(１０)として構成される請求項１〜２３の何れか１項に記載の装置。
【請求項２５】
前記前方ノズル(１０)の直径は、前記船舶のプロペラ(３３)の直径の７０％未満、好ましくは５０％未満、特に好ましくは３５％未満である請求項２４に記載の装置。